(57)【特許請求の範囲】
【請求項１】
先端部分にノズルを備えるボディと、容器本体内に大気を導入する開孔を有しその内部に液体の逆流防止用の逆止弁を備えるインティクと、このインティクをボディに連結したまま容器本体の口部に固定保持するねじ止めキャップからなり、
トリガの牽曳とその解除にてピストンを往復動させ、容器本体内の液体をピストンシリンダ内に吸引するとともに加圧してインティク及びボディを通してノズルの先端から液体を連続的に噴出させるトリガ式の液体噴出器であって、
前記インティクに、その周りの少なくとも一箇所にて突出する突部を設け、
前記ボディに、該凸部を適合させてインティクとボティとを強固に連結する貫通孔を設け、
前記ボディの貫通孔にインティクの突部を適合させるとともに、インティクのベース部分の内外面に設けられた凸部をボディの環状空間を形成する壁面の凹部に適合させてなり、
前記キャップに、インティクとボディとの連結状態で該インティクとボディの連結領域を広範囲にわたって取り囲む大きな面積を有するガイド面を設けたことを特徴とするトリガ式液体噴出器。
【発明の詳細な説明】
【０００１】
【発明の属する技術分野】
本発明は、トリガ式の液体噴出器に関し、その噴出器を構成するボディとインティクとの連結につき、インティクからのボディの抜けを確実に回避しようとするものである。
【０００２】
【従来の技術】
トリガ式の液体噴出器は、黴びとり剤や洗剤等を充てんする容器に多用されており、その構成は、一般に、図６に示すように、先端部分にノズル２０を取り付けたボディ部分２１と、このボディ部分２１に組み合わさりその内部に液体の逆流防止用の逆止弁を備えたインティク２２と、このインティク２２をボディ部分２１とともに容器の口部２３に固定保持するねじ止め式のキャップ２４からなっている。
【０００３】
そして、インティク２２は容器本体の口部とこの口部２３にねじ止めされるキャップ２４にてシール部材２８を介して挟持される一方、ボディ２１とインティク２２とはインティク２２の側壁の凸部をボディ部分２１の凹部に適合させる、いわゆる、アンダーカットｃによって抜け止め保持されている。
【０００４】
かかる噴出器によれば、そのボディ部分２１に取り付けられたトリガ２５の牽曳を繰り返すことにより、これにつながるピストン２６が作動し、ピストンシリンダ２７内で液体の吸引と加圧が交互に効率よく実行され、容器本体内の液体がインティク２２及びボディ部分２１を通してノズル２０から連続的に噴射させることができるが、ボディ部分２１とインティク２２の連結部位に意に反するような過大な力が付与された場合に、アンダーカットによる係合が外れ、ボディ部分２１がインティク２２から抜け落ちることも懸念され、より一層の安全を期するべく、両部材のより強固な連結が望まれている。
【０００５】
この点については、アンダーカットによる係合を強化すべく、凹部をより深くする設計が試みられたけれども、この種の部材は通常、インジェクションにて成形されるものであることから凹部をより深くした場合には、成形部材を金型から取り外すことができない不具合がある。
【０００６】
【発明が解決しようとする課題】
本発明の課題は、構成部材の成形上の問題はもとより、構造の複雑化を招いたり部品点数を増加させることなしにインテイクとボディとをより一層強固に連結することができる新規なトリガ式液体噴出器を提案するところにある。
【０００７】
【課題を解決するための手段】
本発明は、先端部分にノズルを備えるボディと、容器本体内に大気を導入する開孔を有しその内部に液体の逆流防止用の逆止弁を備えるインティクと、このインティクをボディに連結したまま容器本体の口部に固定保持するねじ止めキャップからなり、
トリガの牽曳とその解除にてピストンを往復動させ、容器本体内の液体をピストンシリンダ内に吸引するとともに加圧してインティク及びボディを通してノズルの先端から液体を連続的に噴出させるトリガ式の液体噴出器であって、
前記インティクに、その周りの少なくとも一箇所にて突出する突部を設け、
前記ボディに、該凸部を適合させてインティクとボティとを強固に連結する貫通孔を設け、
前記ボディの貫通孔にインティクの突部を適合させるとともに、インティクのベース部分の内外面に設けられた凸部をボディの環状空間を形成する壁面の凹部に適合させてなり、
前記キャップに、インティクとボディとの連結状態で該インティクとボディの連結領域を広範囲にわたって取り囲む大きな面積を有するガイド面を設けたことを特
徴とするトリガ式液体噴出器である。
【０００８】
【発明の実施の形態】
ボディの成形と同時に、あるいはボディを成形した後においてその周りの少なくとも１箇所に孔あけ加工を施して貫通孔を形成する。インティクには、ボディの貫通孔に適合する凸部を設けておき、この凸部をボディの貫通孔にはめ込むことにより両者を強固に連結する。
【０００９】
【実施例】
以下、図面を用いて本発明をより具体的に説明する。
図１は本発明に従うトリガ式液体噴出器の構成をその断面で示したものである。
図において番号１はボディである。２はボディ１の先端部分に装着されたノズル、３はインティクであり、このインティク３はベース部分３ａと、このベース部分３ａに一体成形されボディ１に内挿されるチューブ３ｂからなり、ベース部分３ａの突端部分には大気導入用の開孔３ｃが設けられており、ベース部分３ａの周りには少なくとも１つの突部３ｄが設けられている。
【００１０】
４は容器本体の口部５に固定保持されるねじ止めキャップ、６はインティク３と口部５の相互間に配置されるシール部材、そして８はインティク３につながり容器本体内の液体を吸引するための吸引パイプである。
【００１１】
ボディ１はその内部に容器本体内の液体をノズル２に送給するための通路１ａを有しており、ここには、さらに、液体の吸引と加圧を交互に行うためのピストン１ｂと、このピストン１ｂを摺動可能に内装してその相互間で空間ｒを形成するピストンシリンダ１ｃと、該ピストン１ｂの押圧を司るトリガ１ｄと、孔開け加工によって形成された貫通孔１ｅがそれぞれ設けられている。
【００１２】
インティク３のベース部分３ａは、図２に示すような、ボディ１の環状空間１ｆに嵌合するようになっていて、その状態を拡大して図３に示すように、該ベース部材３ａに設けられた突部３ｄが、ボディ１の貫通孔１ｅに適合するとともに、同じく、ベース部分３ａの内外面に設けられた凸部３ｅ、３ｆが、ボディ１の環状空間１ｆを形成する壁面の凹部１ｇ、１ｈに適合する、いわゆるアンダーカットによって係合しインティク３とボディ１とがより一層強固に連結されている。
【００１３】
インティク３はボティ１との強固な連結状態を保持したままで、キャップ４にて容器本体の口部５に固定保持されるが、該キャップ４にはボディ１とインティク３の連結領域を広範囲にわたって取り囲む大きな面積を有するガイド面４ａが設けられていて、ボディ１のぶれや傾きが防止される。
【００１４】
インティク３の外観斜視図を図４に示し、ボディ１の外観を一部破断した状態で図５にそれぞれ示す。
【００１５】
本発明に従うトリガ式の液体噴出器においては、アンダーカットによる係合のみならず、インティク３の突部３ｄをボディ１の貫通孔１ｅに適合させる構造になるので、ボディ１に過大な力が付加されたとしても突部３ｄが貫通孔１ｅに留まり、ボディ１がインティク３から簡単に抜け落ちるようなことはない。
【００１６】
上掲図１に示した構成になるトリガ式液体噴出器にて容器本体内の液体を噴射するには以下の要領に従う。
【００１７】
まず、トリガ１ｄを矢印に従い牽曳すると、ピストン１ｂは押圧されピストンシリンダ１ｃの末端に当接する。
【００１８】
この状態でトリガ１ｄの牽曳を解除すると、ピストン１ｂはそれに内装するスプリングｓの弾性力にて初期位置に復帰することとなり、その際、空間ｒは負圧になることから、容器本体内の液体は吸引パイプ８、ポートＰを経て空間ｒに流入する。
【００１９】
この状態に引き続き、さらにトリガ１ｄを牽曳してピストン１ｂを押圧すると、空間ｒに流入した液体は加圧されてポートＰから排出される。この時、インティク３の通路は逆止弁ｖによって閉塞状態に保持され、加圧された液体は第２ポートＰ１及びボディ１の通路１ａを通り、ノズル２の先端から外界へ向けて噴射されることとなり、この一連の動作を複数回繰り返すことによって連続的な噴射が可能となる。
【００２０】
インティク３の突部３ｄはベース部分３ａの周りに一つ設けた例として示したが、その個数や設置位置は適宜に変更することができるものであり、孔開け加工法は本発明ではとくに限定されない。また、構成部材の構造上許容されるならば、インティク３に設けたような突部３ｄをボディ１に、また、ボディ１に設けたような貫通孔１ｅをインティク３に設けることもできる。
【００２１】
本発明に従うトリガ式液体噴出器は合成樹脂にて構成することができるものであり、各構成部材の製造にはインジェクション成形法が適用される。
【００２２】
【発明の効果】
本発明によれば、アンダーカットによる係合に加えてベース部分に設けた突部をボディの貫通孔に適合させるようにしたので、インティクとボディとを強固に連結できる。また、構造の複雑化を招いたり部品点数の増加を伴うこともない。
【図面の簡単な説明】
【図１】  本発明に従うトリガ式液体噴出器の構成説明図である。
【図２】  ボディの環状空間を示した図である。
【図３】  ボディとインティクの連結部分を拡大して示した図である。
【図４】  インティクの外観斜視図である。
【図５】  ボディの外観斜視図である。
【図６】  従来のトリガ式液体噴出器の構成を示した図である。
【符号の説明】
１  ボディ
１ａ  通路
１ｂ  ピストン
１ｃ  ピストンシリンダ
１ｄ  トリガ
１ｅ  貫通孔
１ｆ  環状空間
１ｇ  凹部
１ｈ  凹部
２  ノズル
３  インティク
３ａ  ベース部分
３ｂ  チューブ
３ｃ  開孔
３ｄ  凸部
３ｅ  凸部
３ｆ  凸部
４  ねじ止めキャップ
４ａ  ガイド面
５  口部
６  シール部材
８  吸引パイプ
９  ボディ
10  インティク
11  ねじ止めキャップ
ｒ  空間
ｃ  アンダーカット
ｖ  逆止弁
Ｐ  ポート
Ｐ１  第２ポート
【図１】
0003929241.tif 000002
【図２】
0003929241.tif 000003
【図３】
0003929241.tif 000004
【図４】
0003929241.tif 000005
【図５】
0003929241.tif 000006
【図６】
0003929241.tif 000007